【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
通信線を介して親機と子機との間でフレームを通信単位として時分割データ通信する複数の通信系を有し、前記通信系の通信線間の漏話防止が必要な時分割データ通信システムにおいて、
前記各通信系で、所定長の第１のフレームとこの第１のフレームのフレーム長より短いフレーム長の第２のフレームとで前記フレームが構成されると共に前記第１フレーム内に第２のフレームが生成され、
前記各通信系の前記第１のフレームの送信タイミングが同期化手段で同期化され、
前記同期化された各通信系のそれぞれの前記第１のフレームに、対応する前記第２フレームがそれぞれの時間帯が重ならないように相互に排他的に生成され、
前記相互に排他的に生成された前記各通信系の前記第２フレームにより、対応する前記通信系のデータ通信が行われる
ことを特徴とする時分割データ通信システム。
【請求項２】
通信線を介して親機と子機との間でフレームを通信単位として時分割データ通信する複数の通信系を有し、前記通信系の通信線間の漏話防止が必要な時分割データ通信システムにおいて、
前記各通信系で、所定長の第１のフレームとこの第１のフレームのフレーム長より短いフレーム長の第２のフレームとで前記フレームが構成されると共に前記第１フレーム内に第２のフレームが生成され、
前記各通信系の前記第１のフレームの送信タイミングが同期化手段で同期化され、
前記同期化された各通信系の同じ時間帯のそれぞれの前記第１のフレームに、対応する前記第２フレームがそれぞれの時間帯が重ならないように相互に排他的に生成され、
前記同じ時間帯の前記第１のフレーム内に前記相互に排他的に生成された前記各通信系の前記第２フレームにより、対応する前記通信系のデータ通信が行われる
ことを特徴とする時分割データ通信システム。
【請求項３】
通信線を介して親機と子機との間でフレームを通信単位として時分割データ通信する複数の通信系を有し、前記通信系の通信線間の漏話防止が必要な時分割データ通信システムにおいて、
前記各通信系の前記親機の各々で、所定長の第１のフレームとこの第１のフレームのフ
レーム長より短いフレーム長の第２のフレームとで前記フレームが構成されると共に前記第１フレーム内に第２のフレームが生成され、
前記各通信系の前記第１のフレームの送信タイミングが同期化手段で同期化され、
前記同期化された各通信系の同じ時間帯のそれぞれの前記第１のフレームに、対応する前記第２フレームがそれぞれの時間帯が重ならないように相互に排他的に前記各通信系の前記親機の各々で生成され、
前記同じ時間帯の前記第１のフレーム内に前記相互に排他的に生成された前記各通信系の前記第２フレームにより、対応する前記通信系のデータ通信が行われる
ことを特徴とする時分割データ通信システム。
【請求項４】
請求項１〜請求項３の何れか一に記載の時分割データ通信システムにおいて、
前記第２のフレームのフレーム長が可変である
ことを特徴とする時分割データ通信システム。
【請求項５】
請求項２または請求項３に記載の時分割データ通信システムにおいて、
前記第２のフレームのフレーム長が可変であり、
前記各通信系の同じ時間帯の前記第１のフレームにおいて、一の通信系以外の他の通信系の通信量がゼロの場合には前記一の通信系の前記第２のフレームのフレーム長全長に亘って１つ以上の前記第２のフレームを使って前記一の通信系の通信が行われる
ことを特徴とする時分割データ通信システム。
【請求項６】
請求項２〜請求項５の何れか一に記載の時分割データ通信システムにおいて、
前記第２のフレームが前記第１のフレーム内の任意の時間帯に生成される
ことを特徴とする時分割データ通信システム。
【請求項７】
請求項２〜請求項６の何れか一に記載の時分割データ通信システムにおいて、
前記各通信系の同じ時間帯の前記第１のフレームにおける前記第２のフレームの各々の通信量が前記各通信系相互間で通信され、
前記各通信系の同じ時間帯の前記第１のフレームにおける前記第２のフレームの各々の前記通信量に応じたフレーム長の前記第２のフレームが、対応する前記各通信系の同じ時間帯の前記第１のフレームに生成される
ことを特徴とする時分割データ通信システム。
【請求項８】
請求項７に記載の時分割データ通信システムにおいて、
前記各通信系の同じ時間帯の前記第１のフレームにおける前記第２のフレームの各々の前記通信量の比に応じて予め定められた通信権の配分規則に応じて、前記各通信系の同じ時間帯の前記第１のフレームにおける前記第２のフレームの各々の前記通信量に応じたフレーム長の前記第２のフレームが、対応する前記各通信系の同じ時間帯の前記第１のフレームに生成される
ことを特徴とする時分割データ通信システム。
【請求項９】
通信線を介して親機と子機との間でフレームを通信単位として時分割データ通信する複数の通信系を有し前記通信系の通信線間の漏話防止が必要な時分割データ通信システムにおいて前記親機として使用される時分割データ通信装置であって、
前記時分割データ通信装置で、所定長の第１のフレームとこの第１のフレームのフレーム長より短いフレーム長の第２のフレームとで前記フレームが構成されると共に前記第１フレーム内に第２のフレームが生成され、
前記各通信系の前記第１のフレームの送信タイミングが同期化手段で同期化され、
前記同期化された各通信系のそれぞれの前記第１のフレームに、対応する前記第２フレームがそれぞれの時間帯が重ならないように相互に排他的に前記時分割データ通信装置で
生成され、
前記相互に排他的に生成された前記各通信系の前記第２フレームにより、対応する前記通信系のデータ通信が前記時分割データ通信装置で行われる
ことを特徴とする時分割データ通信装置。
【請求項１０】
通信線を介して親機と子機との間でフレームを通信単位として時分割データ通信する複数の通信系を有し前記通信系の通信線間の漏話防止が必要な時分割データ通信システムにおいて前記親機として使用される時分割データ通信装置であって、
前記時分割データ通信装置で、所定長の第１のフレームとこの第１のフレームのフレーム長より短いフレーム長の第２のフレームとで前記フレームが構成されると共に前記第１フレーム内に第２のフレームが生成され、
前記各通信系の前記第１のフレームの送信タイミングが同期化手段で同期化され、
前記同期化された各通信系の同じ時間帯のそれぞれの前記第１のフレームに、対応する前記第２フレームがそれぞれの時間帯が重ならないように相互に排他的に前記時分割データ通信装置で生成され、
前記同じ時間帯の前記第１のフレーム内に前記相互に排他的に生成された前記各通信系の前記第２フレームにより、対応する前記通信系のデータ通信が前記時分割データ通信装置で行われる
ことを特徴とする時分割データ通信装置。
【請求項１１】
請求項９または請求項１０に記載の時分割データ通信装置において、
前記第２のフレームのフレーム長が可変である
ことを特徴とする時分割データ通信装置。
【請求項１２】
請求項１０に記載の時分割データ通信装置において、
前記第２のフレームのフレーム長が可変であり、
前記各通信系の同じ時間帯の前記第１のフレームにおいて、一の通信系以外の他の通信系の通信量がゼロの場合には前記一の通信系の前記第１のフレームのフレーム長全長に亘って前記第１の通信系の前記第２のフレームを使って前記一の通信系の通信が前記時分割データ通信装置で行われる
ことを特徴とする時分割データ通信装置。
【請求項１３】
請求項１０〜請求項１２の何れか一に記載の時分割データ通信装置において、
前記第２のフレームが前記第１のフレーム内の任意の時間帯に生成される
ことを特徴とする時分割データ通信システム。
【請求項１４】
請求項１０〜請求項１３の何れか一に記載の時分割データ通信装置において、
前記各通信系の同じ時間帯の前記第１のフレームにおける前記第２のフレームの各々の通信量が前記各通信系相互間で通信され、
前記各通信系の同じ時間帯の前記第１のフレームにおける前記第２のフレームの各々の前記通信量に応じたフレーム長の前記第２のフレームが、対応する前記各通信系の同じ時間帯の前記第１のフレームに前記時分割データ通信装置で生成される
ことを特徴とする時分割データ通信装置。
【請求項１５】
請求項１４に記載の時分割データ通信装置において、
前記各通信系の同じ時間帯の前記第１のフレームにおける前記第２のフレームの各々の前記通信量に応じ、通信権の配分規則に基づいて、前記各通信系の同じ時間帯の前記第１のフレームにおける前記第２のフレームの各々の前記通信量に応じたフレーム長の前記第２のフレームが、対応する前記各通信系の同じ時間帯の前記第１のフレームに前記時分割データ通信装置で生成される
ことを特徴とする時分割データ通信装置。
【請求項１６】
請求項１４に記載の時分割データ通信装置において、
前記各通信系の同じ時間帯の前記第１のフレームにおける前記第２のフレームの各々の前記通信量の比に応じて予め定められた通信権の配分規則に応じて、前記各通信系の同じ時間帯の前記第１のフレームにおける前記第２のフレームの各々の前記通信量に応じたフレーム長の前記第２のフレームが、対応する前記各通信系の同じ時間帯の前記第１のフレームに前記時分割データ通信装置で生成される
ことを特徴とする時分割データ通信装置。
【請求項１７】
請求項９に記載の時分割データ通信装置において、
前記同期化された各通信系のそれぞれの前記第１のフレームに、対応する前記第２フレームがそれぞれの時間帯が重ならないように相互に排他的に前記時分割データ通信装置で生成され、前記相互に排他的に生成された前記各通信系の前記第２フレームにより、対応する前記通信系のデータ通信が前記時分割データ通信装置で行われる機能の選択設定が可能であり、
前記通信線間の漏話防止が必要でない通信系の時分割データ通信装置では、前記同期化された各通信系のそれぞれの前記第１のフレームに、対応する前記第２フレームがそれぞれの時間帯が重ならないように相互に排他的に前記時分割データ通信装置で生成され、前記相互に排他的に生成された前記各通信系の前記第２フレームにより、対応する前記通信系のデータ通信が前記時分割データ通信装置で行われる機能の選択設定がされない
ことを特徴とする時分割データ通信装置。
【請求項１８】
請求項１０に記載の時分割データ通信装置において、
前記同期化された各通信系の同じ時間帯のそれぞれの前記第１のフレームに、対応する前記第２フレームがそれぞれの時間帯が重ならないように相互に排他的に前記時分割データ通信装置で生成され、前記同じ時間帯の前記第１のフレーム内に前記相互に排他的に生成された前記各通信系の前記第２フレームにより、対応する前記通信系のデータ通信が前記時分割データ通信装置で行われる機能の選択設定が可能であり、
前記通信線間の漏話防止が必要でない通信系の時分割データ通信装置では、前記同期化された各通信系の同じ時間帯のそれぞれの前記第１のフレームに、対応する前記第２フレームがそれぞれの時間帯が重ならないように相互に排他的に前記時分割データ通信装置で生成され、前記同じ時間帯の前記第１のフレーム内に前記相互に排他的に生成された前記各通信系の前記第２フレームにより、対応する前記通信系のデータ通信が前記時分割データ通信装置で行われる機能の選択設定がされない
ことを特徴とする時分割データ通信装置。